(57)【要約】【課題】引きこもり状態識別問診表により、個別に引きこもり状態を識別し、改善のための情報提供を行う。【解決手段】コンピュータ技術を用いて、引きこもり精神状態識別問診表をＷＥＢページのフォーマットに編集し、ペーパーレス化された引きこもり状態識別問診表のデータベースを構成する。続いて、インターネット上で、このような引きこもり状態識別問診表を被験者に提供し、被験者の引きこもり状態を識別する。更に、オンラインで、被験者の解答を識別することで、引きこもり状態の程度などを統計し、被験者毎に引きこもり状態の識別情報を構築できる。これにより、被験者の引きこもり状況を一貫して把握できるだけではなく、被験者個々の引きこもり状態又はここの引きこもり状況に応じた引きこもり状態の改善アドバイスなどを提供できる。【特許請求の範囲】
【請求項１】
ＷＥＢページ関連のＪａｖａ、ＣＧＩスクリプト、ラジオボタン、チェックボックス、テキスト入力フィールド、プルダウンメニュー、リストなどコンピュータ・ソフトウエア技術を用いて引きこもり状態識別問診表を編集することにより、ＷＥＢページ形式のペーパーレス引きこもり状態識別問診表を構成する引きこもり状態別対処情報提供システム。
【請求項２】
請求項１記載のペーパーレス引きこもり状態識別問診表の中にＪａｖａ又はＣＧＩスクリプトプログラムを組み込むことで、引きこもり状態識別問診表の自動識別を可能にする引きこもり状態別対処情報提供システム。
【請求項３】
請求項１及び請求項２記載のペーパーレス引きこもり状態識別問診表をオンライン流通し、且つ、被験者の解答をオンライン分析して、被験者の各問題における解答を分類した後、統計した履歴データの元に、被験者ごとに引きこもり状態識別情報のデータベースを構築する引きこもり状態別対処情報提供システム。
【請求項４】
請求項２記載の引きこもり状態識別情報のデータベースで、被験者の引きこもり状態を分析、識別して、被験者の引きこもり状態を識別する。更に、請求項１記載のペーパーレス化された問診表のデータベースから、被験者毎に、個々の状況に応じた引きこもり状態の改善のためのアドバイスを提供する引きこもり状態識別及び引きこもり状態情報提供システム。
【請求項５】
予め定められた順にポイントされる所定数のターゲットまたは質問事項を表示手段の画面に配置して表示し、被験者に前記予め定められた順に各ターゲットをポイントまたは質問事項に回答させて、各ターゲットまたは質問事項に対する回答情報データに基づいて被験者の引きこもり状態を分析し、すばやく画面上に引きこもり状態の解析情報を提供することを特徴とする引きこもり状態別対処情報提供システム。
【請求項６】
電子制御される表示手段の画面内に前記所定数のターゲットまたは質問事項を表示または連続する次の画面に表示し、被験者がこの画面に重ねたタッチパネルのターゲットまたは質問事項に対応する位置を押えるまたは回答することにより各ターゲットまたは質問事項に対する回答情報データに基づいて被験者の引きこもり状態を識別し、すばやく画面上に引きこもり状態の解析情報を提供する請求項１に記載の引きこもり状態別対処情報提供システム。
【請求項７】
電子制御される表示手段がデスクトップ型パソコン、モバイル型パソコン、家庭用ゲーム装置である請求項１又は２又は３又は４又は５又は６に記載の引きこもり状態別対処情報提供システム。
【請求項８】
精神分析結果を印字するプリンタが設けられる請求項１又は２又は３又は４又は５又は６に記載の引きこもり状態別対処情報提供システム。
【発明の詳細な説明】
【０００１】
【発明の属する技術分野】
本発明は、オンラインで引きこもり状態を識別及び引きこもり状態情報提供できるシステムに関する。
【０００２】
【従来の技術】
従来の引きこもり状態識別問診表は書籍、プリントなど形式をとっている。一方、既存のカウンセリング施設などでは、決まった時間と場所でしか引きこもり状態別情報提供を受けられないためコストが高い、且つ不便である。既存のカウンセリング施設などでは、コンピュータ支援による引きこもり状態状況評価システムを導入しても、引きこもり状態状況評価のための集計に過ぎない、然も、引きこもり状態識別問診表そのものはペーパーレスではなく、識別情報も入力によるものである。更に、被験者個々の引きこもり状態履歴を一貫して把握していないので、引きこもり状態状況を客観的に評価できるとは言い硬い。
【０００３】
【発明が解決しようとする課題】
本発明は、インターネットを介して、引きこもり状態識別問診表、オンライン引きこもり状態識別及びオンライン引きこもり状態情報提供システムの仕組み又は構築方法に関するものである。主に、コンピュータ技術を用いて、引きこもり状態を識別問診表するテストを電子処理し易いフォーマットに編集し、ペーパーレス引きこもり状態識別問診表を作り出し、且つデータベース化することにより、ペーパーレス引きこもり状態識別問診表を構成する、更に、インターネット上で、このようなペーパーレス引きこもり状態識別問診表、引きこもり状態識別、引きこもりタイプ別対処情報提供と言ったサービスを提供するＷＥＢサイト又はＷＥＢコンテンツに利用するものである。
【０００４】
さらには、既成のカウンセリング施設等、引きこもり状態検査などに本発明を利用すれば、ペーパーレス化できるだけではなく、効率的に判別でき、被験者個々の引きこもり状況や状態を客観且つ一貫して把握できる。
従来の引きこもり状態識別問診表又はコンピュータ支援による引きこもり状態状況評価システムの最大の欠点は、被験者に引きこもり状態識別問診表を受けさせる処に止まり、単方向なもので、被験者、個々の引きこもり状態履歴データを一貫して把握できない、当然、被験者の引きこもり状態も客観的に診断できない、被験者個々の引きこもり状態は引きこもり状態識別状況に応じた改善策の提案や生活習慣の改善させる情報提供と対処方法づけなども提示できない。
【０００５】
具体的に言うと、従来の引きこもり状態識別問診表又はコンピュータ支援による引きこもり状態状況評価システムでは、手段となる引きこもり状態識別問診表又は識別問診表集計そのものになっている、然も、被験者に引きこもり状態識別問診表を提供すると言った単方向なもので、被験者にＡ，Ｂ，Ｃなどの引きこもり状態ランクを知らせても、被験者に最も必要とする識別結果及び対処方法を提供することが不可能である。つまり、従来の引きこもり状態識別問診表では、被験者、自ら、引きこもり状態を認知することが非常に難しく、そして、認知しても、自らの力で、対応策や改善策の方向づけに対処した必要な範囲のアドバイスができない。
【０００６】
従来の引きこもり状態識別問診表の編集方法及び流通手段を考えると、その制限も明らかである。書籍、プリントなど形式をとっている従来の引きこもり状態識別問診表では、被験者の異なる引きこもり状態又は改善要望に個々に対応することが不可能で、当然、被験者達を一つの集合体に見なし、被験者達の間の引きこもり状態の程度差、被験者各自の引きこもり状態状況、被験者達個々の引きこもり状態改善要望を無視せざるを得ない。即ち、従来の引きこもり状態識別問診表は、所謂一般論のものである。
【０００７】
一方、既存のカウンセリング施設等では、一応被験者個々の引きこもり状態状況に応じた個別情報を提供しているが、しかし、コストが高い、且つ決まった時間、決まった場所でしか利用できない。一部分のカウンセリング施設等では、コンピュータ支援による引きこもり状態状況評価システムを導入しでも、引きこもり状態状況評価のための集計に過ぎない、然も、引きこもり状態識別問診表そのものはペーパーレスではなく、識別も入力によるものである。更に、被験者個々の引きこもり状態履歴を一貫して把握していないので、引きこもり精神状態状況を客観的に評価できない。
【０００８】
【課題を解決するための手段】
コンピュータ技術を用いて、引きこもり状態識別問診表を電子処理し易い、インターネット上で流通しやすいフォーマットに編集し、ペーパーレス化された引きこもり状態識別問診表のデータベースを構成する。更に、被験者の解答をオンライン診断して、被験者の各問題における状態分析結果の分類を統計した履歴データの元で、被験者毎に引きこもり状態識別情報のデータベースを構築することにより、各被験者に、個々の引きこもり状態状況に対処する改善情報又は引きこもりタイプ別の対処方法を提供するオンライン引きこもり状態識別及び引きこもり状態提供システムの仕組みを開発した。即ち、インターネット上で、引きこもり状態識別問診表、引きこもり状態識別、引きこもり状態別対処情報提供を併せ持つ引きこもり状態別把握対処のコンテンツ及びシステムを構築する。
【０００９】
先ず、ＷＥＢページ関連のＪａｖａ、ＣＧＩスクリプト、ラジオボタン、チェックボックス、テキスト入力フィールド、プルダウンメニュー、リストなどコンピュータ・ソフトウエア技術を用いて引きこもり状態識別問診表のデータベースを構築して、ペーパーレス引きこもり状態識別問診表を構成する。これを具体的に述べると、一つの設問において、解答とラジオボタン、或はチェックボックスのペアを複数用意する、或は、設問において、解答はプルダウンメニューやリストなどで選択できるようにする、又はテキスト入力フィールドを設けって、被験者の入力を促す。
【００１０】
このように、コンピュータ・ソフトウエア技術を用いて引きこもり状態識別問診表のデータベースを構築し、更に、構築された引きこもり状態テストのデータベースから識別指導要領に準拠したアドバイスを構成する。ここまでは、従来の引きこもり状態識別問診表をペーパーレス化したものとも言える。
ただし、本発明中のペーパーレス引きこもり状態識別問診表だけでは、被験者自身は自分の引きこもり状態に対する識別、引きこもり状態及び引きこもり状態改善の方向づけができない、更に、被験者各自の引きこもり状態状況に対処するアドバイスもない、勿論、他人と比べる時の引きこもり状態も認知できない。
【００１１】
さらに本発明では、オンラインで被験者の解答を識別して、被験者の各問題における解答の分類の統計を取った上で、被験者毎に引きこもり状態識別情報のデータベースを構築すれば、被験者個々の引きこもり状態状況を一貫して把握続けられ、被験者の引きこもりにいた過程や引きこもりの状態、人間性などを客観的に洗い出しできる。これは引きこもり状態識別である。
【００１２】
続いて、被験者個々の引きこもり状態識別結果に応じた情報や対象法を提供する、即ち、一般論ではなく、個別論で対処するわけである。本発明では、前述の引きこもり状態問診表データベースから、各被験者の引きこもり状態識別に対処した問診表を解析することにより、引きこもり状態アドバイスなどを提供する。インターネットを介して、被験者に引きこもり状態識別問診表を提供し、被験者の引きこもり状態を識別する。
【００１３】
オンラインで、被験者の解答を識別する、更に、識別結果を基づき、被験者の引きこもり状態や人間性や心理状態の範囲を分析し、被験者の引きこもり状態識別情報を構築又は更新する。
【００１４】
被験者の引きこもり状態識別情報を基づき、各被験者の引きこもり状態や人間性や心理状態又は識別されたタイプに応じた情報提供や対処方法を提供する。
要約すると、インターネット上で、一般論の引きこもり状態別識別問診表から、個別論の引きこもり状態識別及び引きこもり状態別対処情報提供まで、即ち、相互補完性のある識別問診表、識別、処置と言った引きこもり状態別対処情報提供システムを構成できる。
【００１５】
【発明の実施の形態】
ここで、引きこもり状態識別問診表の実施例として、まず、被験者は引きこもり状態識別問診表及び引きこもり状態情報のＷＥＢサイトにアクセス、自分の要求によって、引きこもり状態識別問診表にするか、引きこもり状態改善情報提供にするかなどを決定する。そうすると、引きこもり状態指導のＷＥＢサイトから引きこもり状態識別問診表のＷＥＢページが返信され、被験者はスタートボタンを押すと、引きこもり状態識別問診表が表示されると同時に、解答における入力フィールドもアクティブ状態になり、被験者はコンピュータなど端末を駆使して、設問に解答する。
【００１６】
続いて、被験者の解答は自動的に識別され、引きこもり状態識別及び引きこもり状態情報提供のＷＥＢサイト所在のサーバに返信される。更に、サーバ上で、識別結果を基づき、被験者の引きこもり状態や人間性や心の状態の範囲が自動的に分析され、被験者の引きこもり状態識別情報が更新される。
【００１７】
最後に、被験者に今回の引きこもり状態識別問診表における被験者本人の結果が提示される。
【００１８】
【発明の効果】
オンラインで、引きこもり状態識別問診表をインターネットに接続すれば、被験者は場所や時間など気にせず、いつでも、どこでも引きこもり状態を識別できる。然も直ちに自動的に識別されるので、識別結果を手に入れる面倒な作業が無くなり、被験者は労力と時間を節約できる。
【００１９】
そして、被験者の回答結果は識別される同時に、引きこもり状態の分布、分類などが統計、分析され、被験者の引きこもり状態識別情報が構築される、これによって、被験者個々の一貫した引きこもり状態状況を把握続けられ、被験者個々の引きこもり状態状況に応じた個別対処情報提供が初めて可能になる。
【００２０】
このように被験者の引きこもり状態状況を常に把握続けることは、被験者引きこもり状態や人間性や現在の引きこもりの状況の分類及び範囲を客観的に発覚でき、対処として、適切な引きこもり状態改善情報を提供できる。
【００２１】
更に、引きこもりの状態や識別された引きこもりのタイプに応じた専用の改善アドバイスや対処方法の情報を提供し、繰り返し使用させることで、被験者の改善および状態変化の具合を把握できる。
【００２２】
以上述べた引きこもり状態識別問診表、引きこもり状態識別、改善対処情報提供と言った機能を持つ、引きこもり状態識別サイクルは、本発明の仕組みのみが生み出せる効果である。